(57)【要約】【課題】パックとフィルム製の外側包装材との間にクーポンを配置したシガレットパックを製造すること。【解決手段】クーポンは、外側包装材用の包装機に供給され、クーポンコンベヤー(１７)によって包装機の領域に移送される。クーポンは、フィーダー(２０)の領域に進み、フィーダー(２０)によってパックの自由な表側(１３)に付与される。【選択図】    図２
2004189339.tif 000002
【特許請求の範囲】
【請求項１】
パック(１０)すなわちシガレットパックへの挿入体としてのプリント媒体であるクーポン(１１，１２)を供給する装置であって、下記の(ａ)(ｂ)を特徴とし、パック(１０)は、外側包装材を適用するための包装機の領域において移送通路(１９)に沿って連続して移送される装置。
(ａ)クーポン(１１，１２)は、対をなして互いに並んだ状態でクーポンコンベヤー(１７)に供給されることができ、前記クーポンコンベヤー(１７)は、クーポン(１１，１２)をフィーダー(２０，２１)に移送して、これらをパック(１０)の表側(１３)に付与する、
(ｂ)クーポン(１１，１２)は、クーポンコンベヤー(１７)によって移送される間に、次々に別体のサブアセンブリー、すなわち、中間コンベヤー(２７)を通過し、移送方向において互いに離間されたクーポン(１１，１２)は前記中間コンベヤーによって、次々に別のコンベヤー-接続コンベヤー(２８)-に供給される、
【請求項２】
下記の(ａ)(ｂ)(ｃ)を特徴とする請求項１記載の装置。
(ａ)対をなして到達するクーポン(１１，１２)は、受け取りベルト(２３，２４)によって、クーポンコンベヤー(１７)の領域における２つの通路に沿って移送されることができる、
(ｂ)受け取りベルト(２３，２４)は、異なる速度で駆動されるので、最初は互いに並んでいたクーポン(１１，１２)は、移送中に移送方向にオフセットされる、
(ｃ)クーポン(１１，１２)は、収束部材の領域、すなわち、収束状の通路を備える中間コンベヤー(２７)の領域において、共通の接続コンベヤー(２８)に供給されることができる、
【請求項３】
下記の(ａ)(ｂ)(ｃ)を特徴とする請求項１記載の装置。
(ａ)水平な姿勢で到達するクーポン(１１、１２)は、クーポンコンベヤー(１７)によって移送される間に、移送方向に見て９０度だけ回動され、および/または、垂直な姿勢に反転される、
(ｂ)クーポン(１１)は、捻られた移送ベルト、すなわち、それらの転向ローラー(２５，２６)が、９０度だけオフセットされた回動軸を備える受け取りベルト(２３，２４)によって回動される、
(ｃ)クーポン(１１，１２)は、一旦直立姿勢に設定されると、クーポンコンベヤー(１７)の一部である転向コンベヤー(３２)によって、到達方向に対し直角な移送方向に転向されることができる、
【請求項４】
下記の(ａ)(ｂ)(ｃ)を特徴とする請求項１記載の装置。
(ａ)クーポンコンベヤー(１７)の端部にクーポンマガジン(２２)が設けられる、
(ｂ)クーポンマガジン(２２)は、各１つのクーポン堆積物毎の２つの横方向にオフセットされた通路(４２、４３)を有する、
(ｃ)クーポンコンベヤー(１７)の後に直接続く２つの通路(４２，４３)の間に、クーポン配分体(４５)が設けられ、前記配分体は、到達する水平に揃ったクーポン(１１，１２)を、通路(４２，４３)の充填度合いにしたがう往復移送運動によって通路(４２，４３)に供給する、
【請求項５】
クーポンコンベヤーの後に直接続くフィーダー(２１)は、転向ローラーを巡って何回も曲げられて上部受け入れ脚(５８)と、前記受け入れ脚に対して直角方向を向く中間脚(５９)と、前記中間脚に対して直角方向を向く移送脚(６０)とを形成するフィーダーベルト(５２)を含んでおり、前記移送脚(６０)は、パック(１０)の移送方向における移送通路(１９)に対して鋭角をなして配向されている点を特徴とする請求項１記載の装置。
【請求項６】
クーポン(１１，１２)は、移送中にその形態に関して安定化されることができ、特に、クーポン(１１，１２)の曲折線または曲折縁部が、加圧作用部材によって安定化されることができ、転向ホイール(６９，７０)の領域において、相互作用を行う押圧ディスク(６７，６８)が横方向に、すなわち、転向ホイール(６９，７０)の両側に設けられ、これらの間でクーポン(１１，１２)とそれらの曲折領域が移送されることができる点を特徴とする請求項１記載の装置。
【発明の詳細な説明】
【技術分野】
【０００１】
この発明は、パックすなわちシガレットパックにクーポンを供給するためにクーポンを移送する装置に関し、パックは、包装機の領域において外側包装材を取り付けるために移送通路に沿って連続して移送される。
【背景技術】
【０００２】
プリント媒体、すなわち、情報および/または広告を伴う薄い曲折された、或いは、曲折されていないブランクをパックに付加するという作業は、包装技術において益々頻繁になりつつある。このことは、シガレットパックに特に行われる。この挿入部材は、今後形態の如何を問わずクーポンと称される。
【０００３】
他所で製造されるクーポンは、シガレットパックに供給されてこれに付与される。フィルム製の外側包装材が、パック内部においてクーポンを一体化するので、前記クーポンは、パックが外側包装材を取り除くことによって、初めて開封されるときに手にされることになる。
【発明の開示】
【発明が解決しようとする課題】
【０００４】
この発明の目的は、包装機の(高)生産性が逆の影響を及ぼすことなく、クーポンがパックと結合されることが可能なように、包装工程におけるクーポンの取り扱いを一体化することである。
【課題を解決するための手段】
【０００５】
この目的を達するために、この発明は、
(ａ)クーポンは組をなしてクーポンコンベヤーに供給されることができ、前記コンベヤーは、クーポンをパックの表側(top side)に付与するためにフィーダーに移送し、
(ｂ)クーポンが、クーポンコンベヤーを通過して移送される間に、クーポンは、個別化アセンブリー(singling assembly)、すなわち、１つの中間コンベヤーを連なって通過し、前記コンベヤーは、移送方向に互いに或る間隔に離間して設定されたクーポンを別のコンベヤー-接続コンベヤー‐に移送する点を特徴としている。
【０００６】
クーポンフィーダーの領域におけるクーポンの取り扱いは、様々な態様で実行することができる。一特徴は、クーポンを少なくとも１つの供給通路を備えるクーポンマガジン内に導入することによって構成される。クーポンは、対応するように設計されたクーポンフィーダーによって個別にクーポンマガジンから取り出される。これに代えて、この発明は、到達するクーポンを直接受け入れて、これらを(連続)位相が中断されることなくパックに供給する特別に設計されたクーポンフィーダーを提供する。
【０００７】
この発明の装置の場合は、クーポンが、包装機の領域内で、クーポンコンベヤーによって、詳細にいえば、クーポンマガジンに移送されるか、またはクーポンフィーダーに直接移送されることができる。包装機は、フィルム(セロファン)製の外側包装材をシガレットパックに付与するように機能することが好ましく、クーポンは、シガレットパックの上を向いた後面(upwardly directed rear side)に付与されるので、結果として生じるユニットは次いでフィルムにより従来態様で包囲される。クーポンマガジンおよび直接充填されるクーポンフィーダーの設計は、それぞれ、特別な態様を構成する。
【０００８】
この発明の別の特徴は、図示の模範具体例を参照しつつ一層詳細に説明される。
【発明の効果】
【０００９】
この発明によって、包装機の(高)生産性が逆の影響を及ぼすことなく、クーポンがパックと結合されることが可能なように、包装工程におけるクーポンの取り扱いを一体化することができる。
【発明を実施するための最良の形態】
【００１０】
図示の模範具体例は、直方体パック１０、詳しくは特にシガレットパックの製造に関する。表面にプリントを有する折り曲げられても差し支えないブランク、すなわち、クーポン１１、１２が、挿入部材として各パック１０に付加される。クーポン１１、１２は、包装機の領域内でパック１０と結合されて、このパック１０にフィルムの外側包装材が付与される。クーポン１１、１２は、パック１０の表側(top side)に付与されて、外側包装材によってパック１０と一緒に包まれる。クーポン１１、１２をパック１０の裏側(rear side)に付与することは普通に行われている。
【００１１】
クーポン１１、１２は、知られた構造のクーポンサブアセンブリー１４によって製造さ
れる。このクーポンサブアセンブリー１４は、ダブル幅のクーポン１５が製造されて、これがカッターディスク１６を援用して中央において切り離される。これによって、２つの隣り合ったクーポン１１、１２が製造される(図３参照)。
【００１２】
クーポンサブアセンブリー１４は、包装機の裏側に‐好ましくは、別体のユニットとして‐配置される。クーポン１１、１２は、包装機の外側のクーポンコンベヤー１７によって受け取られ、包装機の１つのアパーチャー１８を介して前側領域つまりパック１０の移送通路１９の上方の面に供給される。クーポンコンベヤー１７は、相互作用、および/または、順番に次々に作動してクーポン１１、１２を包装機の領域内で‐多少とも直角に‐転向させる(図１、３参照)。
【００１３】
クーポン１１、１２は、各パック１０に供給され、パック１０の移送通路１９の上方に設けられた(クーポン)フィーダー２０、２１によって表側１３に付与される。異なる２つの設計が可能である。クーポン１１、１２は、クーポンコンベヤー１７によってクーポンマガジン２２に供給されることができ、ここに貯えられることができる。個別のクーポン１１、１２は、フィーダー２０(図２)によってクーポンマガジン２２から取り出されて、各パック１０に供給される。この形態においては、フィーダー２０が、通常の態様で設計される。
【００１４】
１つの代替例として、クーポン１１、１２は、クーポンコンベヤー１７によって直接フィーダー２１に供給されることができ、前記フィーダーによってパック１０に移送される。この解決案の場合は、フィーダー２１が特定の態様で設計される(図７、８参照)。
【００１５】
クーポンコンベヤー１７のタスクの一つは、クーポンサブアセンブリー１４から一旦受け入れたクーポン１１、１２を比較的長い移送距離に亘って移送することである。図３のクーポンコンベヤー１７は、２つの隣接状態で供給されたクーポン１１、１２が、移送中にオフセットされた位置関係に移動され、最後に、前後の位置関係になって続くように設計されている。この結果は、２つのクーポン１１、１２の一時的に異なる移送速度によって達成される。クーポンサブアセンブリー１４に続く受け取りベルト２３、２４は、異なる位相速度で駆動されるので、図３からわかるようにクーポン１１、１２のオフセット状態が達成される。図３の右側に設けられた受け取りベルト２４は、この場合は、受け取りベルト２３よりも高速で走行する。
【００１６】
各受け取りベルト２３、２４は、互いに作用し合う２つの個別のベルトを含む。これらは、移送ストランドを介して互いに向き合って接しており、クーポン１１、１２は、互いに対向する移送ストランドの間に位置して固定される。更に、前記(各２つの)受け取りベルト２３、２４は、転向ローラー２５、２６の対応する配置によって、クーポン１１、１２が移送中に９０度回動されるように形成される。クーポン１１、１２は、水平面内に供給され、受け取りベルト２３、２４によって移送される間に１つの直立面内へと回動される。
【００１７】
この位置において、クーポン１１、１２は、次々に１つの中間コンベヤー２７に移送される。この中間コンベヤー２６は、オフセットされた(垂直)面に到達するクーポン１１、１２を共通の接続コンベヤー２８へと導く。中間コンベヤー２７は、クーポン１１、１２を接続コンベヤー２８の入口領域に供給する収束案内部材を含む。これらは、径の異なる転向ローラーのために収束コンベヤーストランドを形成する側方ベルト２９である。収束する内側ベルト３０と同様な内側案内部材は、２つの側方ベルト２９の間に配置されており、内側ベルト３０は、一方の端部に楔状の転向部材３１を備え、共通の接続ベルト２８の方向を向いている。２つの離間した通路に供給されるクーポン１１、１２は、側方ベルト２９および内側ベルト３０の間で収束されて、前後の順番で共通の接続コンベヤー２８に移送される。前記接続コンベヤー２８もまた、２つのベルトを含んでおり、クーポン１１、１２は、互いに対向する移送ストランドの間で固定された状態で移送される。
【００１８】
接続コンベヤー２８は、クーポン１１、１２を-依然として垂直移送面内で-転向コンベヤー３２に移送する。転向コンベヤーは、クーポン１１、１２を９０度だけオフセットまたは転向した方向に移送する。転向コンベヤー３２は、内側コンベヤー３３と角度付きの外側コンベヤー３４を含む。２つのコンベヤー３３、３４は、３つの転向ローラーを巡って案内される複数のベルトによって形成される。内側コンベヤー３３の中央の転向ローラー３５は、クーポン１１、１２を移送する間に位置の変更をもたらす。内側コンベヤー３３の両ベルトは、転向ローラー３５と向き合って直接接する。外側コンベヤー３４の角度を付与された移送ストランドは、間接的に、すなわち内側コンベヤー３３のベルトを介して、転向ローラー３５と対向するように接する。クーポン１１、１２は、これらのベルトの間を移送される。
【００１９】
転向コンベヤー３２の外側と接して１つの反転コンベヤー３６が続いている。この反転コンベヤーは、相互作用を行い、クーポン１１、１２を前記コンベヤーの移送ストランドの間に配置する２つの個別のベルト３７、３８を含む。転向ローラー３９、４０は、それらの回転軸が互いに対して９０度オフセットされているので、個別ベルト３７、３８は、導入部における直立面から、転向ローラー４０の領域における水平面へと反転される。クーポン１１は、したがって、水平位置に反転される。
【００２０】
これに続いて、クーポン１１、１２を受け取って、これらをクーポンマガジン２２(図３)またはクーポンフィーダー２１(図７、８)のどちらかに渡す１つの端部コンベヤー４１が存在する。
図示のクーポンマガジン２２は、特別な様相を構成する。それは、端部コンベヤー４１に対してオフセットされた２つの通路４２、４３を含む。これらの通路は、直立位置に設けられており、それぞれが、クーポン堆積物４４を受け入れるために機能する。
【００２１】
クーポン１１、１２は、ブランクマガジン２２または各通路４２、４３の下側から次々に取り出される。取り出し部材またはフィーダー２０は従来の態様で形成される。
クーポンコンベヤー１７によって供給されたクーポン１１、１２は、側方への移動によって要求されて通路４２、４３のいずれか一方に供給される。このために、通路４２、４３内のクーポン１１、１２の水準、すなわち、クーポンの堆積物４４の高さが、例えば光障壁によって検査される。もしも、クーポンの堆積物４４の高さが或る水準から下に落下すれば、クーポン１１、１２が、対応して関連通路４２、４３中に余分に移送される。この目的で、クーポン配分体４５が通路４２、４３の間に、詳しくは、端部コンベヤー４２の移送方向の延長部に設けられる。このクーポン配分体は、２つの配分部材、すなわち、移送ローラー４６と４７を含む。底部移送ローラー４７は、クーポン１１、１２の供給面の真下に設けられ、上部移送ローラーは真上に設けられる。水平軸を中心として回転することができる２つの移送ローラー４６、４７の間には、内部空間４８が存在しており、クーポン１１、１２は、前記空間内の領域においてクーポン配分体４５に移送される。移送ローラー４６、４７は、周辺部に沿って複数のボア４９を具備している。中空の移送ローラー４６、４７は、(図示しない)エア・サブアセンブリーに、詳しく言えば、移送ローラー４６、４７が、交互に負圧すなわち吸気を供給されるように、或いはまた、正圧すなわち圧縮空気を供給されるように接続される。更に、移送ローラー４６、４７は、互いに反対の方向に駆動される。
【００２２】
図５に示す模範具体例の場合、(右側の)通路４３にクーポン１１、１２が供給されようとしている。(上部)移送ローラー４６は、吸気作用を受けるので、到達するクーポン１１、１２は、移送ローラー４６の周辺部と向き合って接するサブ領域を有する。反時計方向への回転のために、関連クーポン１１、１２は、通路４３に供給される。クーポン１１、１２の移送ローラー４６の周辺部に向かう接触は、他方の(底部の)移送ローラー４７のボア４９から噴出する圧縮空気によって支援される。両移送ローラー４６、４７は、案内部材すなわちハウジング５０、５１によって囲まれている。ハウジングは、内部空間４８の領域において移送ローラー４６、４７の周辺部の小さな限定された領域だけを露出する。クーポン１１、１２のサブ領域は、ハウジング５０、５１の一方または他方と接するので、各移送ローラー４６、４７の周辺部から剥離されたクーポン１１、１２は、通路４２、４３の一方または他方に供給される。もしも、他方の通路４２に供給しようとするならば、クーポン１１、１２が、底部供給ローラー４７の周辺部と向き合って接するように、吸気と圧縮空気の供給が逆転され、クーポン１１、１２は通路４２に供給される。
【００２３】
１つの代替例として、クーポン１１、１２が、クーポンコンベヤー１７によって直接特別に設計されたフィーダー２１に供給されてもよい。フィーダー２１は、クーポン１１、１２のための少なくとも１つのコンベヤー、今の場合は、フィーダーベルト５２を含む。前記フィーダーベルトは、到達するクーポン１１、１２が、パック１０の移送運動と正確に一致し、関連するパック１０に移転されるように設計される。このフィーダー２１すなわちそのフィーダーベルト５２は、中央の機械駆動部に依存して、および/またはこの機械駆動部に接続されて駆動される。したがって、パック１０の移送運動は、常に、フィーダーベルト５２の運動と一致する。フィーダーベルト５２上のクーポン１１、１２が、パック１０の移送運動と同調する正確な相対的な位置決めを有する点も規定される。この目的で、フィーダーベルト５２-歯付きベルトであることが好ましい-は、各クーポン１１、１２のための連行部材５３を備えている。クーポンのフィーダー２１への移送は、関連する連行部材５３に対する接触が、クーポン１１、１２がパック１０に移転されるように最後に達成されるように設定される。
【００２４】
フィーダー２１またはそのフィーダーベルト５２は、クーポンコンベヤー１７の直ぐ後に続く。これは、図３の模範具体例のそれに類似した態様で設計される。端部コンベヤー４１は、上部ベルト５５と下部ベルト５６を含む移送ベルト５４によって置換されている。底部ベルト５６は、コンベヤーとしてフィーダー２１またはフィーダーベルト５２の領域に延出されており、このプロセスにおいてフィーダーベルト５２との間に重なり部が形成される(図７、８参照)。底部ベルト５６の転向ローラー５７は、(間接的に)フィーダーベルト５２の移送ストランドと対向して接する(図８参照)。この形態の場合は、クーポン１１、１２が、単一のフィーダー２１によって、包装機の１通路の作用でパック１０に供給されることができる。従来技術にしばしば見られる包装機の２通路が作用する場合は、２つのフィーダー２１が並列に設けられ、パック１０のための並列の移送路に充当される(図１参照)。この場合は、隣り合うフィーダー２１に、別々のクーポンコンベヤー１７によってクーポンが供給され、各コンベヤーが各１つのフィーダー２１に充当される。この場合、クーポンコンベヤー１７は、図３の模範具体例のそれに類似するが、同時に製造される２つのクーポン１１、１２が、共通のコンベヤー(接続コンベヤー２８)において１つずつに収束されるような特徴をもたない態様で設計される。すなわち、クーポン１１、１２は、別々のクーポンコンベヤー１７によって２つのフィーダー２１に供給される。
【００２５】
フィーダー２１は、移送コンベヤー５４に続く(上部)領域において、クーポン１１、１２の予定の移送方向が連続するように設計される。パック１０に向かって方向付けがなされるフィーダー２１の(底部)領域が、クーポン１１、１２が、パック１０の移送方向に、斜め下方を指向した状態でパック１０に供給されることを保証するようにされる。コンパクトな構造を提供するためと、予定の高さを達成するために、フィーダー１１は、上部受け入れ脚５８、(鋭角)をなして移送脚６０に隣接する中間脚６０、および前記移送脚６０を備えるジグザグ状を呈し、前記移送脚６０は、再び反対向きの(鋭角)をなして中間脚５９の方向を向いている。前記移送脚は、鋭角をなしてパック１０の移送路と移送方向に向いている。フィーダーベルト５２は、対応してオフセットされた複数の転向ローラーを介してこのフィーダー２１の輪郭に追随する。
【００２６】
クーポン１１、１２は、いずれの場合にも、受け入れ脚５８と移送脚６０の領域においてフィーダーベルト５２の底部ストランド面を移送される。クーポン１１、１２をフィーダーベルト５２の面に固定するために、固定案内部材６１が設けられる。この固定案内部材６１は、フィーダー２１および/またはフィーダーベルト５２の移送ストランドの輪郭に極めて近接した状態で追随する。図９からわかるように、固定案内部材６１は、２つの離間したクロスピースを含む。フィーダーベルト５２および/または移送ストランドの或る領域において、クーポン１１、１２はスライドする挙動で案内部材６１に接する。入口領域、すなわち、上部転向ローラー６２の領域において、クーポン１１、１２は、フィーダーベルト５２と案内部材６１の間に導入される。移動のシーケンスは、関連するクーポン１１、１２が、関連する連行部材５３の前方一定の距離の部位において導入されるように制御される(図７参照)。速度差および/またはクーポン１１、１２が案内部材６１に接するために、連行部材５３は、正確な相対位置でクーポン１１、１２に追従してこれをインターセプトする。
【００２７】
移送脚６０の領域には、クーポン１１、１２をパック１０の表側１３に付与するための別体の回転移転部材が設けられる。この移転部材は、加圧作用ホイール６３であり、これは、フィーダーベルト５２のための転向ローラー６４用のスピンドルまたは(駆動)シャフトに設けられる。図９、１０からわかるように、フィーダーベルト５２は、対応する離間転向ローラーと噛合する平行な個別のベルト(歯付きベルト)を含む。加圧作用ホイール６３は、端部転向ローラー６４の間に設けられ、これらの転向ローラー６４よりも相当に大きい直径を備えている。加圧作用ホイール６３の位置と大きさのために、フィーダーベルト５２の移送ストランドによって供給されたクーポン１１、１２は、フィーダーベルト５２から立ち上がって、加圧作用ホイール６３の周辺部に沿って移送され、パック１０に付与される(図８参照)。案内部材６１は、この位置では、圧力作用ホイール６３の外形に適応するように１つの弓状の凸面体によって形成される。この圧力作用ホイール６３は、フィーダーベルト５２によって回転駆動されるので、クーポン１１、１２は、圧力作用ホイール６３の回転運動中に移転される。
【００２８】
クーポン１１、１２は、パック１０の表側１３に接着剤によって有利に固定される。フィーダー２１の領域には、接着ノズルを備える接着サブアセンブリー６５が設けられており、それによって、クーポン１１、１２として露出され、移送されてパック１０に付与されようとするクーポン１１、１２の側に接着剤が付与される。クーポンが、正確に言えば、中間脚５９の領域を通り過ぎるとき、クーポン１１、１２の関連する前記の側が(斜め)上方に向けられる。
【００２９】
クーポン１１、１２を備えるパック１０は、移送通路１９に沿ってブランクサブアセンブリー６６に供給される。前記ブランクサブアセンブリー６６は、外側包装材用のブランクを利用可能とし、これをパック１０の周囲に配置する。外側包装材の仕上げがここで知られた態様で完了する。
【００３０】
別の特徴は、必要に応じて複層に曲折されたクーポン１１、１２が、移送中にその形態すなわち、その曲折に関して、特に別体の加圧作用要素によって安定化される点である。これらは、クーポン１１、１２の移送路のどちらかの側に対をなして設けられる加圧ローラーまたは押圧ディスク６７、６８である。これらの加圧ローラーまたは押圧ディスク６７、６８は、クーポン１１、１２の移送路のどちらかの側に対をなして、詳しく言えば、側方領域、すなわち、互いにわずかに離間して支持される押圧ディスク６７、６８の外周面によって一緒に押圧される曲折部または曲折縁部の領域に設けられる。図示の模範具体例における押圧ディスクは、エンドレスコンベヤーの転向ホイール６９、７０の領域、ここでは、上部ベルト５５と底部ベルトのための転向ホイール６９、７０の軸と同じ軸に沿って移送コンベヤー５４の端部に設けられる。押圧ディスク６７、６８は、転向ホイール６９、７０の軸またはシャフトと同軸に、特定すればその端部に設けられ、前記両ディスクは、移送通路のこの領域においてクーポン１１、１２に押圧力を移すことを可能にする直径を備えている。
【図面の簡単な説明】
【００３１】
【図１】クーポンサブアセンブリーを備える包装機の概略平面図。
【図２】図１の矢印IIの方向から眺めた側面図および/または正面図における図１の包装機。
【図３】クーポンマガジンを備えるクーポンコンベヤーの拡大平面図。
【図４】矢印IVの方向から眺めた図３のクーポンコンベヤーの細部を示す側面図。
【図５】図３のクーポンマガジンの側面および/または(垂直)断面V-Vの拡大細部。
【図６】クーポン取り扱いの別の模範具体例のための、図２と類似した包装機の一部の図。
【図７】図６の細部VIIの形態をなすクーポンフィーダーの拡大側面図。
【図８】別の相対位置にある図７のクーポンフィーダー。
【図９】断面IX-IXに沿う図８のクーポンフィーダーの細部の断面。
【図１０】断面X-Xに沿う図８のクーポンフィーダーの別の細部。
【図１１】図７のクーポンフィーダーの細部、すなわち、XI‐XI面における断面図。
【図１２】図１１の細部XIIの拡大図。
【符号の説明】
【００３２】
１０…パック.１１…クーポン.１２…クーポン.１３…表側.１４…クーポンサブアセンブリー.１５…ダブル幅のクーポン.１６…カッターディスク.１７…クーポンコンベヤー.１８…アパーチャー.１９…移送通路.２０…クーポンフィーダー.２１…クーポンフィーダー.２２…クーポンマガジン.２３…受け取りベルト.２４…受け取りベルト.２５…転向ローラー.２６…転向ローラー.２７…中間コンベヤー.２８…接続コンベヤー.２９…側方ベルト.３０…内側ベルト.３１…転向部材.３２…転向コンベヤー.３３…内側コンベヤー.３４…外側コンベヤー.３５…中央転向ローラー.３６…反転コンベヤー.３７…個別ベルト.３８…個別ベルト.３９…転向ローラー.４０…転向ローラー.４１…端部コンベヤー.４２…通路.４３…通路.４４…クーポン堆積物.４５…クーポン配分体.４６…上部移送ローラー.４７…底部移送ローラー.４８…内部空間.４９…ボア.５０…ハウジング.５１…ハウジング.５２…フィーダーベルト.５３…連行部材.５４…移送ベルト.５５…上部ベルト.５６…下部ベルト.５７…転向ローラー.５８…上部受け入れ脚.５９…中間脚.６０…移送脚.６１…固定案内部材.６２…上部転向ローラー.６３…加圧作用ホイール.６４…転向ローラー.６５…接着サブアセンブリー.６６…ブランクサブアセンブリー.６７…押圧ディスク.６８…押圧ディスク.６９…転向ホイール.７０…転向ホイール.
【図１】
2004189339.tif 000003
【図２】
2004189339.tif 000004
【図３】
2004189339.tif 000005
【図４】
2004189339.tif 000006
【図５】
2004189339.tif 000007
【図６】
2004189339.tif 000008
【図７】
2004189339.tif 000009
【図８】
2004189339.tif 000010
【図９】
2004189339.tif 000011
【図１０】
2004189339.tif 000012
【図１１】
2004189339.tif 000013
【図１２】
2004189339.tif 000014